(57)【特許請求の範囲】
【請求項１】
左右先端部の地面の軽い重しを天秤上の重し負荷装置で交互に負荷する負荷天秤と、天秤の長さの比で重くした重量を左右のクランク機構から中間軸の発電機に伝達する短くした往復動天秤は、固定する支点を挟んでクランクの位置で左右複数の油圧シリンダーの上下でリンク連結する左右対称の支点を中心にした上下2段の天秤であって、
負荷天秤先端部上の左右それぞれを一組とする複数のエアハイドロシリンダーは、ヘッド室に軽い重し重量とつり合う気体圧を充填密閉して、永久磁石と電磁石の吸引力と反発力を併用して、連通する左右ロッド室を一つの閉回路可変容量形ピストンポンプの正逆傾転プレートの自動カム切り換えと電磁石の励磁と消磁を連係して、作動油の往復から地面の軽い重しは負荷と接地を交互にくり返す重し負荷装置であり、
支点を挟んでリンク連結する左右それぞれを一組とする複数の油圧シリンダーは、上下室等油量の作動油で充填密閉され、上部室、下部室間それぞれを連通する閉回路の二つの同機種の可変容量形ピストンポンプで作動する両ロッドシリンダーであり、重し負荷装置で交互の負荷と同時に重くした重量は、支点を挟む左右の両ロッドシリンダー上死点、反対側は下死点の位置で左右交互に伝わり、作動油の流動に載り、ピストンを圧して左右で上がる力、下がる力となり、作動油は、上下死点で二つの可変容量形ピストンポンプの負荷感応角度の正逆傾転プレートの自動カム切り換えから上部室、下部室間を充填密閉を維持しながら左右で往復して、左右両ロッドシリンダーピストンストロークと左右の往復動天秤の上下動角度と左右クランクロッドは連動して、重くした重量は、左右のクランクギアから中間ギアの発電機の回転動に入力となる往復動油圧伝達装置であり、
両装置の三つの閉回路可変容量形ピストンポンプは、外部原動機により支点位置の両ロッドシリンダー上下左右対称の中心位置に設置する一つにまとめる多連油圧ポンプであり、別々の閉回路可変容量形ピストンポンプを、中間軸と伝動する一つのカム軸からの自動で正逆傾転プレートを切り換えて両装置は同時に連係、連動とするものであり、冷却と補充用の小型補助油圧ポンプも別々に組み込む多連油圧ポンプであって、
始動時には、重くした重量を除除に入力する装置の左右負荷天秤先端部の地面に設置する複数の単動エアシリンダー左右それぞれを一組として、充填する気体圧で左右天秤を支えて、排出調整から除除に重くした重量を入力しながら発電機の負荷出力と連係して、重し負荷装置と往復動油圧伝達装置と連動して、それぞれの各装置が連係する調整と制御機器を具備して、天秤比で重くした重量相応分の原動機出力で往復動油圧伝達装置とはずみ車出力とをつり合わせて連動、出力を落として駆動する発電機は、重くした重量の入力から高圧力設定の補助ポンプからの増減調整する機器を備える油量調整時間から流量増となる上下二つの閉回路可変容量形ピストンポンプと原動機出力調整と発電機の負荷出力とをつり合わせる電気制御機器から重くした重量の入力となり、回転と出力を落としての調整運転から重くした重量分が加わる流動から回転と出力は増して定格の発電能力となり、発電機からの電気負荷出力である揚水モータポンプ等は平常の連続運転と成す手段とからなる天秤使用の重力発電装置。
【請求項２】
請求項1に記載の天秤使用の重力発電装置において、
前記、重し負荷装置は、左右負荷天秤先端部上に左右それぞれを一組とする複数のエアハイドロシリンダーを設けて、ヘッド室に軽い重し重量とつり合う気体圧を充填密閉して、複数の永久磁石の吸引力とつり合わせ地面に軽い接地となり、複数の電磁石の瞬間励磁の反発力で負荷となり、連通するロッド室に外部原動機による多連油圧ポンプ内の一つの閉回路油圧可変容量形ピストンポンプから、上下死点位置の中間軸からの伝動機具によるカム軸の共役板カムで正逆傾転プレートを切り換えて作動油は左右ロッド室間を往復して、圧入と圧出でヘッド室の気体圧を圧して、片方は開放して、左右重しの電磁石の励磁と消磁と永久磁石の吸引力を併用からピストンロッド先端部のフレームの重しを上げ、下げ負荷と接地と成り、二つの往復動油圧伝達装置の閉回路可変容量形ピストンポンプと同時作動となり、作動油の入れ替えは、パイロット圧力によるフラッシング弁と圧力差による多連油圧ポンプ内の一つの補助ポンプで常時行えて、冷却と流量調整も兼ねるものとなり、天秤と重しと地面の任意の位置と任意の組み合わせとする電磁石と永久磁石は、極を切り換える調整機器内蔵の正逆励磁器を備えて、エアハイドロシリンダーの作動と連係、併用して、励磁と消磁から確実な負荷と接地と成す手段とからなる重し負荷装置を有する天秤使用の重力発電装置。
【請求項３】
請求項1に記載の天秤使用の重力発電装置において、
前記、往復動油圧伝達装置は、支点を挟んで上下天秤をリンク連結して左右対称で取り付ける左右それぞれを一組の複数の油圧シリンダーとして、上下室等油量のトラニオン形ピンジョイント両ロッドシリンダーを使用してシリンダー中心部分で負荷天秤とベアリング軸受取り付けとした。
左右両ロッドシリンダーの上部室と下部室間の上下に外部原動機による多連油圧ポンプ内の二つの同機種の閉回路油圧可変容量形ピストンポンプは、左右と上下対称の両ロッドシリンダー中心になる位置に設けて、中間軸からの伝動機具によるカム軸の共役板カムで上下の従動節を介して上下二つの正逆傾転プレートの吸入と吐出の自動切り換えで左右両ロッドシリンダー上部室と下部室間の流動は反対の動作となり、一つの重し負荷装置用閉回路ピストンポンプの共役板カム動作と同時作動となり、左右の上下死点位置で軽い重しの交互の負荷から重くした重量は、左右交互の入力となり、作動油の入れ替えと補充は、上下死点位置のカム操作切り換え直前のリミットスイッチの電気信号から多連油圧ポンプ内の一つの補助ポンプの開回路で高圧力設定の小型油圧ピストンポンプからタイマー使用の電磁圧入弁で高圧力で圧入して、同時間内、
又は、タイマー調整による時間差の設定から、電磁排出弁で排出して充填密閉を維持しながら作動油の入れ替えとなり、重くした重量の負荷に反応する正逆傾転プレート角度による流量の増減と原動機出力調整と発電機負荷出力調整を自動的に対応する機器を具備して、重くした重量の伝達から入力と成す手段とからなる往復動油圧伝達装置を有する天秤使用の重力発電装置。
【請求項４】
請求項1に記載の天秤使用の重力発電装置において、
前記、始動時における重くした重量を除除に入力する装置は、左右の負荷天秤先端部の地面に設置するヘッド室に圧縮気体圧を充填する複数の単動エアシリンダー、又は、エアハイドロシリンダーを設けて、補充用気体圧タンクを備えて、ピストンロッド先端部で左右の負荷天秤と駆動する重し負荷装置を支えて、始動時に少しづつ手動又は、タイマーによる自動排出弁から圧縮気体圧を排出して、重くした重量を除除に入力から、前記、往復動油圧伝達装置の閉回路可変容量形ピストンポンプの流量増減と原動機出力調整と発電機の負荷出力とを除除につり合わせることで発電機に無理なく入力されて出力は増す構成と成り、連続運転と成す手段とからなる始動時における重くした重量を除除に入力する装置を有する天秤使用の重力発電装置。
【請求項５】
左右先端部の地面の軽い重しを天秤上の重し負荷装置で交互に負荷する負荷天秤と、天秤の長さの比で重くした重量を左右のクランク機構から中間軸の発電機に伝達する短くした往復動天秤は、固定する支点を挟んでクランクの位置で左右複数の油圧両ロッドシリンダーの上下でリンク連結する左右対称の支点を中心にした上下2段の天秤であって、外部原動機による多連油圧ポンプ内の一つの閉回路可変容量形ピストンポンプから左右の地面に設置する重しを左右複数のエアハイドロシリンダーそれぞれを一組として、複数の永久磁石の吸引力と複数の電磁石の反発力を併用して交互に負荷する重し負荷装置であり、二つの同機種の閉回路可変容量形ピストンポンプで左右複数の両ロッドシリンダーそれぞれを一組として上部室と下部室間を作動油は往復して、重し負荷装置と往復動油圧伝達装置は同時作動となり、中間軸の伝動器具から一つのカム軸で連係して、負荷感応角度の正逆傾転プレートの切り換えから、負荷からの重くした重量は、充填密閉からの両ロッドシリンダーピストンストロークの流動に載り、クランク機構に入力となり、発電機の回転動と成り、往復動油圧伝達装置と重し負荷装置と左右それぞれを一組とする複数の単動エアシリンダーの気体圧で負荷天秤を支えて除除に排出調整から始動時における重くした重量を除除に入力する装置は、連係、連動する機器を具備して、天秤比で重くした重量相応分の原動機出力で往復動油圧伝達装置とはずみ車出力とをつり合わせて連動、出力を落として駆動する発電機は、重くした重量の入力から多連油圧ポンプ内の高圧力設定の補助ポンプからの増減調整する機器を備える油量調整時間から流量増となる上下二つの閉回路油圧可変容量形ピストンポンプと原動機出力調整と発電機の負荷出力とをつり合わせる電気制御機器から重くした重量の入力となり、回転と出力を落としての調整運転から重くした重量分が加わる流動から回転と出力は増して定格の発電能力となり、発電機からの電気負荷出力である揚水モータポンプ等は平常の連続運転と成す手段を備える天秤使用の重力発電装置を用いた始動時からの天秤使用の重力発電方法において、
前記、始動時における重くした重量を除除に入力する装置の単動エアシリンダーヘッド室の充填気体圧で左右負荷天秤と駆動する重し負荷装置を支える第1工程と、
前記、天秤比で重くした重量相応分の原動機出力で往復動油圧伝達装置とはずみ車出力とをつり合わせて連動、出力を落としての発電機出力で駆動する第2工程と、
前記、左右負荷天秤先端部の重し負荷装置で軽い重しをエアハイドロシリンダーの充填気体圧力、作動油圧力調整と永久磁石、電磁石の励磁タイミング調整から左右交互に確実な負荷と接地として、重くした重量を駆動する左右複数の油圧両ロッドシリンダーに伝える第3工程と、
前記、第2工程と第3工程を慣らし運転として、タイミング調整する機器から連続運転となり、第1工程での単動エアシリンダーの充填気体圧を少しづつ排出して、重くした重量を除除にクランク機構から発電機に入力と上下の閉回路油圧可変容量形ピストンポンプに補助ポンプの流量調整時間からの流動増と原動機出力調整と発電機の負荷出力とをつり合わせる電気制御のベクトル制御インバータ機器から回転と出力を落としての調整運転から重くした重量分が加わり定格の発電能力となり、発電機からの電気負荷出力とつり合わせて連続運転と成る第4工程を有することを特徴とする始動時から平常運転までの天秤使用の重力発電方法。
【発明の詳細な説明】
【技術分野】
【０００１】
本発明は、重しによる重量を、伝達する装置と閉回路の油圧伝達装置から回転中のクランク機構の
上下死点位置で継続して発電機に入力から、出力増と成す装置であり、又、位置エネルギーからの重
量を原動機関に取り入れる方法である。
【背景技術】
【０００２】
自然のエネルギーである水力は、高低差のある重力エネルギー。化石、原子力は、蓄積された燃焼エネルギーであり、太陽光、風力においては、月、地球、太陽の引力に作用される自然エネルギーである。
【０００３】
外燃機関、原子力機関による発電方法は、燃焼による水を高温度の圧縮気体圧にして、発電機の回転力に変えて、気体は開放する。内燃機関による発電方法は、燃焼爆発気体圧力を往復動から回転動へ、又は、直接発電機の回転力に変えて、気体は開放する。水力機関による発電方法は、水の重量の圧力を回転力に変えて、水は開放する。
【０００４】
一般的な油圧装置は、開回路，閉回路であれ、原動機出力を油圧ポンプで油圧力に変えて、往復動、回転動と成し、作動油は循環する。
【０００５】
特願2007-203622の出願を取り下げて、本発明を再出願とした。
【発明の開示】
【発明が解決しようとする課題】
【０００６】
本発明の目的は、省エネルギーであって、左右の負荷天秤先端部の地面に設置する軽い重しを左右交互に負荷する天秤上の重し負荷装置を設ける負荷天秤と、支点を挟んで左右それぞれを一組とする複数の上下室等油量の油圧両ロッドシリンダーは、リンク連結する往復動天秤であり、負荷により、片方は接地となり、左右油圧両ロッドシリンダー位置で重くした重量は、支点から左右で上がる力、下がる力となり、油圧両ロッドシリンダーロッドと同位置で連結する左右クランクロッドのクランク機構から発電機に伝わる構造であり、短くした上の往復動天秤と長くした下の負荷天秤は、軽い重しを重い重量にするものであり、
外部原動機による多連油圧ポンプ内に各装置の油圧ポンプを組み込み、支点位置に設けて、クランク機構の中間軸と連結するカム軸で同時に切り換わる3基の閉回路の油圧可変容量形ピストンポンプは、1基の重し負荷用と左右の両ロッドシリンダー上部室、下部室間に設ける2基の同じ往復動用のポンプであり、左右両ロッドシリンダー上部室と下部室間のストロークの油量とカム軸から上下対称にして挟んだ2基の油圧可変容量形ピストンポンプの回転数による容量は同じ油量であり、左右の上下死点位置で重しの負荷から同時に重くした重量は、充填密閉された作動油の流動に載り、圧して、連動して、左右往復動天秤の上下動と連動する往復動油圧伝達装置であり、往復動天秤と閉回路の3基の可変容量形ピストンポンプの方向制御の正逆切り換え傾転プレート(斜版プレート)は、中間軸からのカム軸(駆動軸も兼ねる)と連動して同時の自動作動となり、重し負荷装置は、1基の閉回路の可変容量形ピストンポンプと左右それぞれを一組とする複数の天秤上のエアハイドロシリンダーは、ヘッド室に軽い重し重量に見合う気体圧を充填密閉してつり合わせて、ポンプから連通する左右ロッド室への圧出入と地面の永久磁石の吸引力と電磁石の反発力を併用して左右交互に負荷と接地となる装置であり、往復動油圧伝達装置の2基の油圧可変容量形ピストンポンプと左右両ロッドシリンダーと連係、連動して、多連油圧ポンプに組み込む1基の高圧力設定の補助ポンプから重くした重量に見合う傾転プレート角度の流量調整をして、始動時には、重くした重量を除除に入力する左右それぞれを一組とする複数の単動エアシリンダーを負荷天秤先端部の地面に設けて、充填する気体圧で天秤を支えて除除に排出調整から、2基の可変容量形ピストンポンプへの補助ポンプの増油量時間とをつり合わせて、原動機出力と発電機負荷出力をつり合わせる電気制御機器を具備して、重くした重量は、左右の両ロッドシリンダー、クランクロッド、クランク機構から中間軸のはずみ車、発電機に入力となり、各装置は連係機器で連動させて、その重くした重量分が加わり、出力を落としての発電から定格出力発電となるをことを目的とする。  
【０００７】
重し負荷装置は、左右負荷天秤先端部の地面に軽い重しを設置して、天秤上の左右複数のエアハイドロシリンダーを一組として、左右ヘッド室に重しとつり合う気体圧(空気圧)を充填密閉して軽い負荷となり、左右ロッド室は、支点中心位置の多連油圧ポンプ内の一つの閉回路油圧可変容量形ピストンポンプから同距離の作動油管で連通して、地面の永久磁石で鉄材使用の軽い負荷となる重しを吸引して常に軽い接地となり、重しに設ける電磁石の瞬間の励磁の反発力で天秤に負荷され、片方は消磁、又は軽い励磁で接地となり、作動油のロッド室への圧出で負荷となり、片方は圧入で接地となり、電磁石と連係、連動させるもので、中間軸からカム軸に伝動器具(チェーン)で伝えて、クランクギアの同じ回転数として、共役板カムを従動節を介して正逆傾転プレートを切り換えるものであり、小型の可変容量形ピストンポンプであるため、カム軸と駆動軸を同軸のものとして、二つの往復動用の同機種の可変容量形ピストンポンプの駆動軸とは別系統として、同じカム軸で傾転プレートは同時に切り換わるものとして、重しの負荷は同時に重い重量となり連係、連動する支点から左右両ロッドシリンダー、クランク機構に伝わる。
【０００８】
往復動油圧伝達装置は、閉回路としなければならない、開回路にするとシリンダーとポンプは、重くした重量を圧力にかえねばならない、閉回路にすることでポンプと連通するシリンダーの管路間はストレートにつながり、原動機出力はポンプを介してシリンダー、クランク機構からそのままの出力で発電機に伝わり、重くした重量は、充填密閉を保ち負荷感応する閉回路可変容量形油圧ピストンポンプと上下室等油量の両ロッドシリンダーを使用することで重しの負荷から同時に作動油の流動に載り、回転方向の落ちるエネルギーとなり、作動油を圧す状態となる。
例えば、往復動油圧伝達装置に作動油を充填密閉の真空状態にして、原動機を固定して、又発電機を固定しても、負荷天秤先端部の重しの負荷において、作動油は剛体と等しいもので重しは負荷の状態を保つこととなり、駆動中の重し負荷においても、充填密閉から真空を保つ本装置は、重くした重量をクランク機構から中間軸のはずみ車、発電機に伝えるものとなる。
【０００９】
始動時における重くした重量を除除に入力する装置は、始動時からの重しの負荷から重くした重量の急激な入力では機器のつり合いが取れず、左右の負荷天秤先端部を単動エアシリンダー、又は、エアハイドロシリンダーで支え（本装置は重し負荷用と同じものを使用した）、慣らし運転(低速から定格出力となる増減油量調整時間)と、ヘッド室に充填する気体圧を少しづつの排出と往復動油圧伝達装置の可変容量形ピストンポンプ(斜板式アキシャルピストンポンプ)の正逆切り換え傾転プレート(斜板プレート)に重量の反応からの少しづつの増油量時間をつり合わせて、発電機の負荷出力(モータ揚水ポンプ、水の電気分解、充電等)ともつり合わせて安定運転(開回路の作動油の冷却と増減油量用を兼ねる補助ピストンポンプの吐出容量で時間は決まる)となる装置である。
又、新しい本装置の初めての運転では、別の油圧機器を使用して、作動油の充填からの空気抜きをしなければならない、正逆傾転プレートを死点位置の最大近くの角度で充填することで増油量時間は短時間となり、
又、本装置の一時停止からの再始動では、充填と密閉の状態からの運転となるため、より短時間ですむこととなる。                                                                                                                                                                                                    
【００１０】
発電機は、往復動油圧伝達装置の流量とクランク機構の無理のないギア比に合わせた最低限の増速として、速度に合わせた極数の交流発電機を使用して、原動機には、外部電力による交流電動機を使用するものとした。出力に合わせた速度調整の出来る可変速制御(ベクトル制御インバータ)発電機と電動機を使用するもので、現在の技術では、直流、交流の発電機、モータの制御方法に問題はない。
【００１１】
確実に往復動油圧伝達装置に重し重量の伝達と入力から出力となり継続運転とならねばならない。重要となるのは、重し負荷装置と往復動油圧伝達装置の連係であり、重し負荷装置のエアハイドロシリンダーヘッド室の充填する気体圧力と地面に取り付ける永久磁石の重しの吸引力をほぼつり合わせることで軽い接地となり、左右
ロッド室への油圧力は低圧力ですみ、重しに取り付ける電磁石と地面の永久磁石とのわずかな瞬間的な励磁の反発力（同極）とロッド室の排出で負荷となり、ロッド室への圧入で接地となり、電磁石は、上下死点直前の位置からの電気信号で励磁して、重し負荷用の閉回路油圧可変容量形ピストンポンプの正逆傾転プレートの切り換えタイミングのロッド室への圧出入と同時間作動となり、空気圧と電磁石と永久磁石と油圧力を利用して省エネルギーとなる方法である。
【００１２】
閉回路である往復動油圧伝達装置の作動油の冷却(汚れ、漏れの補充)と増油量において、確実な入れ替えと増量(始動時から安定運転まで)からの充填密閉される状態を維持しなければ重くした重量は、クランク機構に伝わらない。
1つの電動機から多連油圧ポンプの５基の油圧ポンプを設けて、(支点を中心にして両ロッドシリンダーの上下中心軸とポンプの駆動軸は、負荷天秤とベアリング連結する位置と同じ上下高さで、左右対称の位置に設けることになる)  2基は、同機種の往復動油圧伝達装置用の閉回路可変容量形ピストンポンプであり、1基は、駆動軸とカム軸を共用する重し負荷装置用の小型の閉回路可変容量形ピストンポンプであり、残りの2基は、補助ポンプであり、往復動油圧伝達装置の作動油入れ替えと増減油量用の小型の開回路高圧力の可変容量形ピストンポンプと重し負荷装置の作動油入れ替えと油量調整の低圧力のギアポンプである。
【００１３】
閉回路可変容量形ピストンポンプの作動において、パイロット圧による電磁弁からの小型のシリンダー、モータ方式での正逆傾転プレート切り換えと角度調整も可能となるが、確実で応答スピードでは中間軸からチェーンでカム軸のカム操作で自動的に行える方法として、重し負荷装置の1基と往復動油圧伝達装置の2基の閉回路可変容量形ピストンポンプは、一つのカム軸の共役板カムで上下に挟んだ正逆傾転プレートの自動切り換えで反対の動作となり、往復動天秤、左右シリンダー、左右クランクロッド、左右クランクギアまで片方は上死点、反対側は下死点となり、中間ギアで一方向回転となり、はずみ車、発電機につながるものとなる。
中間ギアシャフトからの伝動機具（チェーン等）でカム軸に伝達して、クランクギアの上下死点と同じ動作のカム回転で3基の閉回路可変容量形ピストンポンプの正逆傾転プレートの同時切り換えとなり、重し負荷装置用の閉回路可変容量形ピストンポンプと往復動油圧伝達装置用の閉回路可変容量形ピストンポンプは、同時作動となり、軽い重しの負荷は同時に天秤比の距離で重い重量となり、支点位置の多連油圧ポンプから5基の油圧ポンプの作動油管は左右対称の同じ比の距離であり、自動的に負荷を感応して作動油の調整機能を有する閉回路の特徴である往復動用ポンプであり、重し負荷用ポンプには、従動節のネジ調整で共役板カムから傾転プレートの角度調整となり、両装置は、同時作動と成る調整する機能を有して連動するものとした。
【００１４】
作動油の入れ替えにおいて、一般的な閉回路のピストンポンプは、パイロット圧でフラッシング弁を開き、排出分を常時圧力差で補充する補助ポンプであり、本装置の重し負荷装置の1基の閉回路可変容量形ピストンポンプの補助ギアポンプと同じ方法である。
2基の同一の往復動油圧伝達装置の左右の上下シリンダーロッド室とポンプの連通管路内は、作動油で充填密閉され、左右交互に切り換えて移動する。その管路に圧入用オンデレタイマー使用のポペット形電磁弁を設けて、小型の高圧力開回路ピストンポンプから設定圧力リリーフ弁を設けての常時圧入から、上下死点位置のリミットスイッチの電気信号で作動して、圧入と成り、排出用の管からオンデレタイマー使用のポペット形電磁弁の排出タイミングは、タイマーで調整して、常時充填密閉を保ちながらわずかな時間差で行うものであり、又、排出管路内の可変しぼり弁の調整からの流動量と成り、わずかな時間差の排出と圧入で充填密閉を保ち、2基のポンプは、1回転に1回（0.5秒で1回）の上下死点の直前、直後の時間幅で入れ替えと増減油量となるものとした。
【００１５】
両ロッドシリンダー、エアハイドロシリンダー共にシリンダースリーブとロッドの間隔を極力少なく製作して、2基の閉回路可変容量形ピストンポンプは、電動機出力を発電機出力に伝える作動油を媒体としたポンプであり、左右シリンダー上下ロッド室が上下2基のポンプで切り換えから、往復動天秤で左右シリンダーロッドとクランクロッドは、同位置で連結して、全部のロッド室は正圧、負圧を打ち消して圧力差が無い状態で吸入と吐出となり、大容量形の可変容量形ピストンポンプを使用出来ることと、重くした重量の入力を主にするため発電機は、ベクトル制御インバータで低速度に落としての発電からの運転となり、電動機もベクトル制御インバータで調整するものであり、
多連油圧ポンプの据え付ける位置は、支点を中心にして左右両ロッドシリンダーの中心軸と駆動軸を同じ高さとして取り付けるもので、左右上下の連通配管は、左右両ロッドシリンダーの上下動と連動する往復動天秤の前後の揺れから金属管と一部高圧ホースを使用して、ポンプも駆動軸を中心にシリンダーと同じ揺れとなるものであり、両ロッドシリンダーロッド室は、スリーブとピストンの間隔を少なく設計して、少容量の流量とするもので、1秒に1m以上のスピードであり、そのシリンダーの加工精度においても、メッキの精度、シールパッキンの耐久精度、作動油の熱の問題、天秤の製作精度、各機器の据え付けの精確さ、しゅうどう抵抗損失等は現在の技術で解決出来るものであり、上下天秤の連結部に市販品である精確なベアリングを多用するものとした。
【課題を解決するための手段】
【００１６】
請求項1の発明は、左右先端部の地面の軽い重しを天秤上の重し負荷装置で交互に負荷する負荷天秤と、天秤の長さの比で重くした重量を左右のクランク機構から中間軸の発電機に伝達する短くした往復動天秤は、固定する支点を挟んでクランクの位置で左右複数の油圧シリンダーの上下でリンク連結する左右対称の支点を中心にした上下2段の天秤であって、
負荷天秤先端部上の左右それぞれを一組とする複数のエアハイドロシリンダーは、ヘッド室に軽い重し重量とつり合う気体圧を充填密閉して、永久磁石と電磁石の吸引力と反発力を併用して、連通する左右ロッド室を一つの閉回路可変容量形ピストンポンプの正逆傾転プレートの自動カム切り換えと電磁石の励磁と消磁を連係して、作動油の往復から地面の軽い重しは負荷と接地を交互にくり返す重し負荷装置であり、
支点を挟んでリンク連結する左右それぞれを一組とする複数の油圧シリンダーは、上下室等油量の作動
油で充填密閉され、上部室、下部室間それぞれを連通する閉回路の二つの同機種の可変容量形ピストン
ポンプで作動する両ロッドシリンダーであり、重し負荷装置で交互の負荷と同時に重くした重量は、支
点を挟む左右の両ロッドシリンダー上死点、反対側は下死点の位置で左右交互に伝わり、作動油の流動
に載り、ピストンを圧して左右で上がる力、下がる力となり、作動油は、上下死点で二つの可変容量形
ピストンポンプの負荷感応角度の正逆傾転プレートの自動カム切り換えから上部室、下部室間を充填密
閉を維持しながら左右で往復して、左右両ロッドシリンダーピストンストロークと左右の往復動天秤の
上下動角度と左右クランクロッドは連動して、重くした重量は、左右のクランクギアから中間ギアの発
電機の回転動に入力となる往復動油圧伝達装置であり、
両装置の三つの閉回路可変容量形ピストンポンプは、外部原動機により支点位置の両ロッドシリンダー上下左右対称の中心位置に設置する一つにまとめる多連油圧ポンプであり、別々の閉回路可変容量形ピストンポンプを、中間軸と伝動する一つのカム軸からの自動で正逆傾転プレートを切り換えて両装置は同時に連係、連動とするものであり、冷却と補充用の小型補助油圧ポンプも別々に組み込む多連油圧ポンプであって、
始動時には、重くした重量を除除に入力する装置の左右負荷天秤先端部の地面に設置する複数の単動エアシリンダー左右それぞれを一組として、充填する気体圧で左右天秤を支えて、排出調整から除除に重くした重量を入力しながら発電機の負荷出力と連係して、重し負荷装置と往復動油圧伝達装置と連動して、それぞれの各装置が連係する機器を具備して、
天秤比で重くした重量相応分の原動機出力で往復動油圧伝達装置とはずみ車出力とをつり合わせて連動、出力を落として駆動する発電機は、重くした重量の入力から高圧力設定の補助ポンプからの増減調整する機器を備える油量調整時間から流量増となる上下二つの閉回路可変容量形ピストンポンプと原動機出力調整と発電機の負荷出力とをつり合わせる電気制御機器から重くした重量の入力となり、回転と出力を落としての調整運転から重くした重量が加わる流動から回転と出力は増して定格の発電能力となり、発電機からの電気負荷出力である揚水モータポンプ等は平常の連続運転と成す手段とからなる天秤使用の重力発電装置を構成したものである。即ち本発明は、軽い重しを負荷して、天秤比で重くした重量を駆動する閉回路油圧伝達装置の上下死点位置で回転方向に伝達して、入力から出力増と成す天秤使用の重力発電装置を構成するものである。
【００１７】
請求項2の発明は、請求項1に記載の天秤使用の重力発電装置装置において、
前記、重し負荷装置は、左右負荷天秤先端部上に左右それぞれを一組とする複数のエアハイドロシリンダーを設けて、ヘッド室に軽い重し重量とつり合う気体圧を充填密閉して、複数の永久磁石の吸引力とつり合わせ地面に軽い接地となり、複数の電磁石の瞬間励磁の反発力で負荷となり、連通するロッド室に外部原動機による多連油圧ポンプ内の一つの閉回路油圧可変容量形ピストンポンプから、上下死点位置の中間軸からの伝動機具によるカム軸の共役板カムで正逆傾転プレートを切り換えて作動油は左右ロッド室間を往復して、圧入と圧出でヘッド室の気体圧を圧して、片方は開放して、左右重しの電磁石の励磁と消磁と永久磁石の吸引力を併用からピストンロッド先端部のフレームの重しを上げ、下げ負荷と接地と成り、二つの往復動油圧伝達装置の閉回路可変容量形ピストンポンプと同時作動となり、作動油の入れ替えは、パイロット圧力によるフラッシング弁と圧力差による多連油圧ポンプ内の一つの補助ポンプで常時行えて、流量調整も兼ねるものとなり、天秤と重しと地面の任意の位置と任意の組み合わせとする電磁石と永久磁石は、極を切り換える調整機器内蔵の正逆励磁器を備えて、エアハイドロシリンダーの作動と連係、併用して、励磁と消磁から確実な負荷と接地と成す手段とからなる重し負荷装置を有する天秤使用の重力発電装置を構成したものである。即ち本発明は、くり返し利用できる圧縮気体圧と永久磁石を取り入れて、重しの重量を気体圧力で上げて、地面に取り付ける永久磁石の吸引力とをほぼつり合わせ軽い接地と成し、左右ロッド室への圧出入の油圧力と磁力調整は、低圧力のポンプと低電力の電磁石ですむ重し負荷装置を有する天秤使用の重力発電装置を構成するものである。    
【００１８】
請求項3の発明は、請求項1に記載の天秤使用の重力発電装置において、
前記、往復動油圧伝達装置は、支点を挟んで上下天秤をリンク連結して左右対称で取り付ける左右それぞれを一組の複数の油圧シリンダーとして、上下室等油量のトラニオン形ピンジョイント両ロッドシリンダーを使用してシリンダー中心部分で負荷天秤とベアリング軸受取り付けとした。
左右両ロッドシリンダーの上部室と下部室間の上下に外部原動機による多連油圧ポンプ内の二つの同機種の閉回路油圧可変容量形ピストンポンプは、左右と上下対称の両ロッドシリンダー中心になる位置に設けて、中間軸からの伝動機具によるカム軸の共役板カムで上下の従動節を介して上下二つの正逆傾転プレートの吸入吐出の自動切り換えで左右両ロッドシリンダー上部室と下部室間の流動は反対の動作となり、一つの重し負荷装置装置用閉回路ピストンポンプの共役板カム動作と同時作動となり、左右の上下死点位置で軽い重しの交互の負荷から重くした重量は、左右交互の入力となり、作動油の入れ替えと補充は、上下死点位置のカム操作切り換え直前のリミットスイッチの電気信号から多連油圧ポンプ内の1つの補助ポンプの開回路で高圧力設定の小型油圧ピストンポンプからタイマー使用の電磁圧入弁で高圧力で圧入して、同時間内、又は、タイマー調整による時間差の設定から、電磁排出弁で排出して充填密閉を維持しながら作動油の入れ替えとなり、重くした重量の負荷に反応する正逆傾転プレート角度による流量の増減と原動機出力調整と発電機負荷出力調整を自動的に対応する機器を具備して、重くした重量を伝達から入力と成す手段とからなる往復動油圧伝達装置を有する天秤使用の重力発電装置を構成したものである。即ち本発明は、ポンプを介して左右両ロッドシリンダー内に充填密閉された作動油は、重くした重量の伝達媒体であり、リンク取り付けする上下天秤で作用と反作用の関係となり、上下、左右ロッド室の圧力は同調して、上下同機種の閉回路油圧可変容量形ピストンポンプの出入圧力は同圧力となり、正逆傾転プレートの切り換えと重くした重量に反応する角度に対しての作動油の増減油量の電磁圧入弁と時間差の電磁排出弁での入れ替えとを兼ね備えて、流動増減にともなう可変速原動機出力調整も容易なものとなる往復動油圧伝達装置を有する天秤使用の重力発電装置を構成するものである。
【００１９】
請求項4の発明は、請求項1に記載の天秤使用の重力発電装置において、
前記、始動時における重くした重量を除除に入力する装置は、左右の負荷天秤先端部の地面に設置するヘッド室に圧縮気体を充填する複数の単動エアシリンダー、又は、エアハイドロシリンダーを設けて、補充用気体圧タンクを備えて、ピストンロッド先端部で左右の負荷天秤と駆動する重し負荷装置を支えて、始動時に少しづつ手動又は、タイマーによる自動排出弁から圧縮気体を排出して、重くした重量を除除に入力から、
前記、往復動油圧伝達装置の閉回路可変容量形ピストンポンプの流動増減と原動機出力調整と発電機の負荷出力とを除除につり合わせることで発電機に無理なく入力されて出力は増す構成と成り、連続運転と成す手段とからなる始動時における重くした重量を除除に入力する装置を有する天秤使用の重力発電装置を構成したものである。即ち本発明は、急激な重し負荷による入力では、発電機出力と原動機出力がつり合わず、機器の消耗と破損ともなるため時間をかけて少しづつ伝達から入力して、つり合わせ発電機出力増と成す始動時における重くした重量を除除に入力する装置を有する天秤使用の重力発電装置を構成するものである。
【００２０】
請求項5の発明は、左右先端部の地面の軽い重しを天秤上の重し負荷装置で交互に負荷する負荷天秤と、天秤の長さの比で重くした重量を左右のクランク機構から中間軸の発電機に伝達する短くした往復動天秤は、固定する支点を挟んでクランクの位置で左右複数の油圧両ロッドシリンダーの上下でリンク連結する左右対称の支点を中心にした上下2段の天秤であって、外部原動機による多連油圧ポンプ内の一つの閉回路可変容量形ピストンポンプから左右の地面に設置する重しを左右複数のエアハイドロシリンダーを一組として、複数の永久磁石と複数の電磁石を併用して交互に負荷する重し負荷装置であり、二つ同機種の閉回路可変容量形ピストンポンプで左右複数の両ロッドシリンダーそれぞれを一組として上部室と下部室間を作動油は往復して、重し負荷装置と往復動油圧伝達装置は同時作動となり、中間軸の伝動器具から一つのカム軸で連係して、負荷感応角度の正逆傾転プレートの切り換えから、負荷からの重くした重量は、充填密閉からの両ロッドシリンダーピストンストロークの流動に載り、クランク機構に入力となり、発電機の回転動と成り、往復動油圧伝達装置と重し負荷装置と左右それぞれを一組とする複数の単動エアシリンダーの気体圧で負荷天秤を支えて除除に排出調整から始動時における重くした重量を除除に入力する装置は、連係、連動する機器を具備して、天秤比で重くした重量相応分の原動機出力で往復動油圧伝達装置とはずみ車出力とをつり合わせて連動、出力を落として駆動する発電機は、重くした重量の入力から多連油圧ポンプ内の高圧力設定の補助ポンプからの増減調整する機器を備える油量調整時間からの流量増となる上下二つの閉回路油圧可変容量形ピストンポンプと原動機出力調整と発電機の負荷出力とをつり合わせる電気制御機器から重くした重量の入力となり、回転と出力を落としての調整運転から重くした重量分が加わる流動から回転と出力は増して定格の発電能力となり、発電機からの電気負荷出力である揚水モータポンプ等は平常の連続運転と成す手段を備える天秤使用の重力発電装置を用いた始動時からの天秤使用の重力発電方法において、
前記、始動時における重くした重量を除除に入力する装置の単動エアシリンダーヘッド室の充填気体圧で左右負荷天秤と駆動する重し負荷装置を支える第1工程と、
前記、天秤比で重くした重量相応分の原動機出力で往復動油圧伝達装置とはずみ車出力とをつり合わせて連動、出力を落としての発電機出力で駆動する第2工程と、
前記、左右負荷天秤先端部の重し負荷装置で軽い重しをエアハイドロシリンダーの充填気体圧力、作動油圧力調整と永久磁石、電磁石の励磁タイミング調整から左右交互に確実な負荷と接地として、重くした重量を駆動する左右複数の油圧両ロッドシリンダーに伝える第3工程と、
前記、第2工程と第3工程を慣らし運転として、タイミング調整する機器から連続運転となり、第1工程での単動エアシリンダーの充填気体圧を少しづつ排出して、重くした重量を除除にクランク機構から発電機に入力と上下の閉回路油圧可変容量形ピストンポンプに補助ポンプの流量調整時間からの流動増と原動機出力と発電機の負荷出力とをつり合わせる電気制御のベクトル制御インバータ機器から回転と出力を落としての調整運転から重くした重量が加わり定格の発電能力となり、発電機からの電気負荷出力をつり合わせて連続運転と成る第4工程を有することを特徴とする始動時から平常運転までの天秤使用の重力発電方法を構成したものである。
即ち本発明は、重くした重量を、油圧管路内に充填密閉されて真空状態となる閉回路油圧伝達装置の作動油の流動から連係するクランク機構に伝えて、連動する発電機の回転力に取り入れる天秤使用の重力発電方法を構成するものである。
【発明の効果】
【００２１】
本発明で使用する多連油圧ポンプで3つの閉回路可変容量形ピストンポンプの正逆傾転プレートの自動カム操作伝動機器の切り換える正確さは現在の製作技術で十分なものであり、2つの上下ポンプは、その切り換える上下死点の回転方向で重くした重量の作用での正逆傾転プレートの反応からの角度調整の油量増減となり、作動油の増減量と入れ替え量の調整は補助高圧ポンプからのタイマー使用の圧出入ポペット形電磁弁と可変しぼり弁の調整を手動で行い、1つの重し負荷用の小型のポンプは、2つの上下ポンプの正逆傾転プレートと同じカム軸の作動であるが作動油管の長さから負荷と接地を左右のクランクギアの死点の位置の正逆傾転プレートの切り換えタイミングと微調整(従動節のボルト、しぼり弁)するものであり、各、油圧機器と空気圧機器からの漏れは、シリンダーのスピードが1m／毎秒以上であり、加工の精度と使用部品の耐久度等から定期的に交換するものとする。  
左右負荷天秤上のエアハイドロシリンダーヘッド室の充填密閉の空気圧と重し(鉄材)をつり合わせて、
天秤に軽い負荷となり、地面の永久磁石の吸引力(磁力)とロッド室への油圧力はわずかな圧力で接地と
なり、軽い負荷を確実な負荷とするN、S極の吸引力と同極の反発力は、電磁石への瞬間の励磁を左右
交互と連通するロッド室への圧入と圧出を連動させて、励磁の反発力と圧出（排出）で負荷となり、
反対側は、消磁又は吸引力と圧入で接地となるものとした。
負荷されて重くした重量は、左右両ロッドシリンダーから同時に回転する左右のクランクギアの上下死
点から回転方向に入力となり、発電機の負荷出力を重くした重量とつり合わせる往復動油圧伝達装置
の作動油の流量と負荷感応して、補助ポンプからの増油量となる閉回路可変容量形ピストンポンプと
ベクトル制御インバータモータのスロー回転から出力を上げて除除につり合せながらコントロールす
るものであり、各装置が作動油の流動に重量を載せて左右交互の移動と連動となり、長時間の運転か
らの漏れと冷却からの補充と充填密閉の気泡のない真空状態を保つことが本装置の課題であり、入力
重量の全てを回転出力に変換することはできないもので、使用する補助機器（始動時の他からの油圧
装置、気体圧機器等）のエネルギー使用は別にして、抵抗損失から重くした重量の入力の半分程が出
力となり、
前記からにおいて、ベクトル制御インバータで重くした重量を増油量とモータ出力調整で発電機出力増と成す手段を説明したが、反対に重くした重量の入力から発電機出力を調整しながら維持して、二つの閉回路可変容量形ピストンポンプの流量の減じる調整からモータ出力を除除に減じる手段も重くした重量の入力には変わりはない。
【発明を実施するための最良の形態】
【００２２】
【実施例】
【００２３】
以下、本発明の実施の形態を図面と符号に基づき説明する。
図面［1、2、3、］は、天秤使用の重力発電装置の簡単な正面、平面、側面の全体の構造と配置の断面図であり、鉄鋼材で製作して、補強用構造材は省き基本構造の最低限のものとした図面である。
負荷天秤(1)と往復動天秤(2)とのリンク取り付けする左右両ロッドシリンダー(3)は、支点から0.25mで、重しの位置は1.50mで、支点を中心にした左右全長は3.50mで製作した。
重し(4)の重量はフレーム(10)込みの650kgで、で負荷すると支点から左右両ロッドシリンダー取り付け位置で3900kgの半分の1950kgのあがる力、1950kgの落ちる重量となり、両ロッドシリンダーの取り付け方法は、図面[13、14、15、]に示す負荷天秤とはシリンダー中間部のトラニオン形ピンジョイントのベアリング軸受(20)として、往復動天秤とはクレビス形2山ピンジョイント(21)として、下部ロッドはフリーとした。
ピストンロッドストロークは、0.25mで上下角度は60゜とした。   
支点中心部の軸受台(19)、負荷天秤(1)、往復動天秤(2)、連結シャフトは、図面[13、14、16、]に示して、ベアリング軸受と（20）と(22)は、同じ太さの軸径とした。
【００２４】
図面［4、5、6、］は、往復動油圧伝達装置の簡単な正面、平面、側面の支店位置に設置する構造と配置の概略の断面図である。両ロッドシリンダー（3）は、スリーブ内径150mm、ロッド径145mm、で上下室の受圧面積はおよそ12cm2、支点を挟んだ左右2基で24cｍ2となり、上下ストローク25cmから容量は、およそ0.6リットルとなり、1往復、1回転で1.2リットルとなり、2回転で2.4リットル／毎秒1mとなり、144リットル／毎分となり、本装置は、毎秒1m以上のスピードで設計した。
多連油圧ポンプ（14）の同機種の閉回路可変容量形ピストンポンプ（25）の上下2基は、外部からの電力使用の電動機（12）出力の回転速度と重くした重量3900kgの伝達から正逆傾転プレート（40）の反応角度からの増減油量と電動機（12）出力調整に見合う吐出量の可変容量形ピストンポンプ（25）を使用して、始動時からの慣らし運転は、低速から定格出力までベクトル制御インバータで電動機出力と発電機の負荷モータ出力とを除除につり合わせて、重量の入力はポンプの増油量と同調して、速度は増し入力となり出力と成る、
2基のポンプ（25）を挟んだシリンダー（3）上下管路間の充填された作動油の圧力は、左右シリンダーロッドを往復動天秤（2）で連結するため圧力を消し合い、左右の上部室と下部室をそれぞれを左右を連通して、吸入と吐出を2基のポンプ（25）で往復させるため同圧力となり、重くした重量を圧力に換えなくて、回転する慣性に同調させて、伝達から発電機に入力となり出力増と成るものであり、使用する電動機（12）は、重量を伝達するポンプ（25）を介しての回転力を与える補助モータ（12）であり、始動時から安定運転時の重量の入力から、作動油の慣性と連動して負荷重量に反応する自動角度調整の増減油量と傾転プレートの切り換えもスムーズに行え、低圧力のポンプで良くて、ベクトル制御インバータで出力調整の出来るモータ（12）を使用するものとした。
2基のポンプの正逆傾転プレート（40）の切り換えは、1つのカム軸（45）から1つの共役板カム（42）の回転から従動節（46）を介して上下2基のポンプの傾転プレート（40）を切り換えるもので、角度は、重量に反応して自動的に増減油量となる間隔を設けるものとして、カム軸は、クランク機構の中間軸から伝動チェーン（32）で同時作動とした。
その2基の閉回路可変容量形ピストンポンプ出力の圧力と流量は、ベクトル制御インバータのスロー回転からの始動となり、5MPa程の圧力から1秒に2回転のクランク速度として、連動する両ロッドシリンダー上下動とポンプの正逆傾転プレートは、1秒に4回の切り換えとなり、1秒に1mの速度となる。
電動機速度（定格回転速度1260rpm）と可変容量形ピストンポンプの速度比は、1： 1で1260rpmで21rpsとなり、両ロッドシリンダー左右ロッド室の上下動容量からポンプ吐出量は、1回転120cc以上で正逆傾転プレートの平均角度から最大角度の容量は1回転120〜150ccの吐出の閉回路可変容量形ピストンポンプ2基を使用して、圧力と流量（5MPa、144リツトル／毎分）から15ｋＷ相当の可変容量形ピストンポンプを2基使用しなければならないが、重くした重量が確実に入力されて、安定運転時にはポンプ出力は、重くした重量の落ちるエネルギーを天秤の左右に切り換える補助ポンプとなり、圧力より重くした重量を載せる作動油の流量の左右に切り換えを確実に行える機器を具えることが重要となり、ポンプ出力は、１５ｋＷから１０ｋＷ相当に落とせることになり、出力の増減は、回転センサーからプログラムするコントローラからベクトル制御インバータで電動機（12）、発電機（11）、負荷出力である揚水ポンプのモータを調整して、つり合わせるものであり、始動時からの回転数の増減からのポンプ吐出量は、除除に時間をかけて増減油量とするものとなる。
作動油の入れ替えにおいて、冷却と漏れと始動時の増油量に対応する小型高圧力（21MPa以上）設定の開回路可変容量形ピストンポンプ（26）は、2基の閉回路同機種の閉回路可変容量形ピストンポンプ（25）と比べて10％程で（21MPa以上、4リツトル／毎分、1.5から2ｋＷ）、重量の入力のプレート角度の反応から除除に増油量から回転速度と出力調整するポンプでもあるが、主に安定運転時の冷却と漏れの補充目的のポンプである。電動機（１２）には、３７ｋＷを使用して、発電機（１１）には、2基の閉回路可変容量形ピストンポンプの負荷感応する正逆傾転プレート角度の可変容量範囲内でつり合う５５ｋＷを使用して、負荷出力の揚水モータポンプにも５５ｋＷを使用して、ベクトル制御インバータでスロー回転からの慣らし運転から、重量の入力による増油量の定格回転までを調整して、単純に発電機出力を３７ｋＷに落として除除に５５ｋＷにもどす方法として、出力の増減は、ベクトル制御インバータで調整して、機器の抵抗損失からの数値の増減は含めず単純な説明とした。
【００２５】
図面  ［７、８、９、］は、左右の両ロッドシリンダー(３)と連動する往復動天秤(２)からクランクロッド(１５)からギアボックス(１３)内の左右クランクギア（17）へ伝達して、ギア径3：1の中間ギア（18）と同軸のはずみ車（8）、増速装置内蔵の発電機（11）に伝達する簡単な正面、平面、側面の全体の構造と配置の概略の断面図である。左右のクランクロッド（15）と左右両ロッドシリンダー(3)ロッドは、同じ軸受台(19)からのベアリング軸受(22)のシャフトと同軸で往復動天秤と連結して、上下死点位置(３基の可変容量形ピストンポンプの正逆傾転プレート切り換え位置)とストロークは同じ動作となり、2基の上下可変容量形ピストンポンプ(25)の作動油の流動に連動する。
電動機(12)には、天秤比で重くした重量に見合うおよそ1260rpm、6極、のベクトル制御インバータのかご形誘導モータ37ｋＷ、６０Ｈｚ、３相、２２０Ｖ、を使用して、発電機（11）には、増速比1：3.5でおよそ1260rpm、6極、のベクトル制御インバータのかご形誘導発電機55ｋＷ、６０Ｈｚ、３相、２２０Ｖ、増速装置内蔵のものを使用するものとした。又発電機の負荷出力とする揚水ポンプのモータ出力にも同種の同出力の55kWを使用するものとした。
【００２６】
図面［１０、１１、１２、］は、重し負荷装置と始動時における重くした重量を除除に入力する装置の一部分の管路と回路図を含めた簡単な正面、平面、側面の構造と配置の概略の断面図である。
天秤にフランジ取り付けるエアハイドロシリンダー（9）と地面にフランジ取り付ける単動エアシリンダー（5）は、同径のものを使用して、重し負荷用（9）と併用できて、シリンダースリーブ内径100mm、ロッド径95mm、圧縮空気を充填するヘッド室は、78.5cｍ2、油圧のロッド室は、7.65cm2の受圧面積となる。
重し負荷装置には、図面［11］に記載のエアハイドロシリンダーと地面に取り付ける永久磁石(7)と電磁石(6)を併用して、地面から天秤に負荷となるストロークは、永久磁石の吸引力と電磁石の反発力から地面と完全に分離して、負荷となる範囲を25mm（調整機能を有する）程のものとして、エアハイドロシリンダーは、左右負荷天秤先端部上に4本づつ設けて、ヘッド室の受圧面積314cm2、重し重量は650kgからおよそ0.2MPa以上の空気圧の充填でつり合い、4個の永久磁石の磁力は小磁力で良くて、N、S極の吸引力から常時軽い接地となり、電磁石、永久磁石の材質には、希土類系の安定性と励磁反応の良いものを使用するものとした。
重しの負荷と接地は、片方のロッド室4本の受圧面積30.6cm2から左右ロッド室の排出と調整器内蔵の励磁器(39)から電磁石への励磁の軽い同極の反発力で負荷となり、反対側のロッド室への圧入と励磁器からの弱い励磁の吸引力で接地となり、それぞれにタイマーを設けて、微調整と瞬間的(ワンショット、インターバル)な励磁作用で行うものとする。［確実な負荷と接地は、磁力から離れて負荷天秤に載り、往復動油圧伝達装置とクランク機構に入力するためのものであり、25mm内で上下死点直前、直後の上下動0.25秒間内の瞬間のわずかな反発磁力と消磁から油圧の排出と圧入と連係、連動で負荷となり、確実な作動をくり返さねばならなく、電磁石の消磁（脱磁）時間と充填する空気圧力を圧す油圧力から決めるものとなる］
電磁石と同時作動となる多連油圧ポンプ(14)の1つの閉回路可変容量形ピストンポンプ(27)の出力は、およそ4MPaの圧力、1回転15cc、18リットル／毎分、から1.5ｋＷ程の低圧力で小型の可変容量形ピストンポンプで良いものとなり、
作動油入れ替え用の補助ポンプ(２８)は、図面[30]に記載の圧力差によるパイロットラインのフラッシング弁で逃がして、その容量分を吸入管路から補充するポンプであり、冷却と漏れと汚れに対応して常時作動する小型低圧力のギアポンプ(４ＭＰａ、３リットル／毎分、０．２５ｋＷ出力相応)を使用することとした。エアハイドロシリンダーヘッド室の充填空気圧は、長期間の使用の漏れに対して、補充用の気体圧タンク(３５)を設けるものとして、単動エアシリンダー(５)と共用する。
確実な負荷と接地となるには、重しフレーム(１０)とピストンロッド先端部が分離して接地となり、ロッドがフレームを上げて地面から分離することで負荷となり、左右交互に確実な作動から、往復動油圧伝達装置と連係して連動させるものとなる。
【００２７】
始動時から重くした重量を除除に入力する装置の単動エアシリンダー（5）は、左右2本づつのヘッド室157cm2で650kgの左右の重しを支える空気圧は、0.42MPa程でつり合うが0.6MPaの圧力から手動操作、又は、タイマーによる微調整の出来る自動排出弁を使用して、始動時からの慣らし運転から、重し負荷からの往復動油圧伝達装置の可変容量形ピストンポンプに重くした重量の伝達から、開回路小型高圧力ピストンポンプのタイマーで調整する圧出入ポペット形電磁弁からの増油量時間(圧出入の時間調整は、手動とする)とをつり合わせて時間をかけて、除除に圧縮空気を排出して、重量の入力トルクと増油量からの回転速度は増して、クランク機構からの回転センサーからコントロールボックス（53）のコントローラでプログラムするベクトル制御インバータ発電機の負荷出力とをつり合わせて連続運転となすものである。
前記、段落番号［0009］で説明した新装置の別の油圧機器からの作動油の充填と空気抜きをする両ロツドシリンダーの下部室は、図面[23]に記載のピストンのリップパッキンの下部に空気抜き穴(56)とロッドの穴と連通して、上部室は、シリンダースリーブ最上部に空気穴(57)を設けて、別の油圧機器からの注入口(58)の作動油の圧入で空気抜きとなり、上部に残る気泡は空気穴を吸引口(57)として、注入口からの圧入して、くり返し空気抜きをしながら完全なものとする。全体に完全な充填密閉となり真空状態となると、始動時に重くした重量の除除に入力する作動時間は、2〜5分ですむものとなり、増油量と慣らし運転時間を短縮して、充填密閉されて、一時停止からの再始動においても、慣らし運転の調整時間は、短時間ですむものとなる。
【００２８】
重しを天秤に負荷して重くした重量は、左右両ロッドシリンダーの上下で充填された作動油の左右循環往復動に同調して左右のクランク機構からは発電機に伝わり入力から出力となり、左右クランクの回転動の方向の上死点から下死点間で1基の可変容量形ピストンポンプの作動からエアハイドロシリンダーロッド室の排出と電磁石と永久磁石の反発力で負荷となり、反対側は、圧入と電磁石と永久磁石の吸引力で接地となり、同時に2基の可変容量形ピストンポンプの正逆傾転プレートを切り換える上下死点の力は0ですみ、作動油の慣性と同時に重くした重量の落ちる位置エネルギーとしての入力から共役板カム(42)と従動節(46)は、作動油の移動に連動して、自動的に切り換わる角度間隔(負荷感応する幅)を設けて、従動節と傾転プレートの当たり面への衝撃は少ないものであり、作動油の移動を助けるものとなり、そのわずかな時間内で高圧力の小型開回路可変容量形ピストンポンプ（26）の圧出入ポペット形電磁弁（30）、(31)と可変しぼり弁(流動調整弁)からの調整から増減油量と入れ替えを行うものとする。
中間軸(36)とカム軸(45)の比は、1： 3の回転数としてクランクギアと同じ回転数となり、チェーン(32)で多連油圧ポンプ(14)の3基の閉回路可変容量形ピストンポンプ(25)、(25)、(27)、と2基の補助ポンプ(26)、(28)、は、図面[19]に記載の駆動軸と同軸のカム軸〔3基のポンプ(26)、(27)、(28)、は駆動軸を兼ねる〕は、両ロッドシリンダートラニオン形ピンジョイントと同じ高さの軸であり、多連油圧ポンプ(14)は、両ロッドシリンダーから左右、上下対称の位置に取り付けるもので同じ配管(一部高圧ホースを使用)からロッド室は左右等油量となり、上下死点位置で正逆傾転プレートの2つの従動節(46)をカム軸(45)の共役板カム(42)で正逆自動切り換え、2基の可変容量形ピストンポンプは、上記で説明した、時間幅と傾転プレート角度調整が自動的に作動油の流量に反応する間隔を設けるものであり、
図面［21］と図面［22］に記載の1基の重し負荷用の可変容量形ピストンポンプは、従動節をネジで長さ調整(51)出来るものとして、2基のポンプとの同時作動の時間調整の出来るものとした。
正逆傾転プレートの継続運転中は、両ロッドシリンダーとクランクからのはずみ車(8)、発電機(11)から慣性で切り換わり、回転することになり、2つの上下板カムと2つの上下従動節の切り換え面と幅(時間)  
を多く取り、作動油入れ替えと増油量用の高圧力設定(21MPa以上、4リツトル／毎分、1.5〜2ｋＷ)の開回路補助ピストンポンプ（26）からのタイマー（38）使用の排出用ポペット形電磁弁（30）と圧入用ポペット形電磁弁（31）の時間幅を設けて、0.03秒でスイッチON、弁が開き圧入時間0.05秒間として、スイッチOFF、0.03秒とすると作動時間幅は、0.11秒となる。
排出も同時間でスイッチON、OFFでタイマー調整で入れ替え量の増減となり、管路内に設ける可変し
ぼり弁（流量調整弁）での調整も併用するものである。
図面［30］に記載の重し負荷用エアハイドロシリンダーの閉回路可変容量形ピストンポンプ（27）は、小型、低圧力、低容量の開回路補助ギアポンプ（4MPa、3リットル／毎分、0.25ｋＷ）で作動油の入れ替えを常時行える方法のものであり、内部パイロット圧でフラッシング弁から排出して、補助ギアポンプ(28)の圧力差で自動的に排出分を圧入する。
重しを左右交互に負荷と接地をくり返す時間幅は、０．２５秒に１回となり、０．２５秒間で圧入と排出をくり返すことになる。
【００２９】
クランクロッドの上下死点位置に取り付けるリミットスイッチ（34）は、作動油入れ替え用の開回路小容量高圧力のピストンポンプ（26）の圧入と排出用のポペット形電磁弁（31）、（30）、4個の接点と重し負荷用の重しの下部に装着の電磁石（6）のそれぞれの接点であり、1つの入れ替え用ポンプから、4基の両ロツドシリンダーの左右上部室と下部室と2基の閉回路可変容量形ピストンポンプは、上下に分けて作動するため、作動油が上下、左右の上死点と下死点間を正逆傾転プレート切り換えで左右に移動するのみのポンプであり、2基のポンプの正逆切り換えのわずかな時間をタイマーで時間設定して、1回転に1回（1回／0.5秒）のそれぞれの上下のリミットスイッチで2基のポンプの圧入と排出の切り換える時間幅からポペット形電磁弁を自動操作する接点であり、死点直前の位置に取り付けるものとする。
【００３０】
多連油圧ポンプ(14)の2基の閉回路可変容量形ピストンポンプは、始動時からの除除に重くした重量を入力して、流動から速度を増す目的の可変容量形ピストンポンプであり、安定運転時には、定容量形のピストンポンプとなり、作動油の入れ替えは、圧入、排出のポペット形電磁弁を死点直前と直後のカムの切り換わる時間に左右両ロツドシリンダーそれぞれを同時に圧出入を行うため、タイマー設定時間幅0.11秒としているが、左右で圧力差がなくて、少々の遅れは問題とはならない、始動時における慣らし運転と増減油量調整時間においても、別の油圧機器で前もって圧入から2〜5分のものであり、安定運転時の主に冷却目的の小型のポンプで良くて、作動油の適温度は60℃程であり、多連ポンプ、配管、両ロッドシリンダーにも水冷装置(海水、水道水等の自然流水を通す方法等)を組み込むこととして、長時間の運転に対応する機器と複数の水冷の大型タンク等を使用して十分な冷却としなければならない。
【００３１】
作動油入れ替え用の電気機器には、シーケンス制御で図面［31］で示して、AC、220V、60Hz、の上下リミットスイッチ(34)、タイマー(38)、排出用ポペット形電磁弁(30)、圧入用ポペット形電磁弁(31)を使用する。
重し負荷用の電磁石には、図面[31]で示す、上下リミットスイッチ(34)、リレー(37)、タイマー(38)、
調整機器内蔵の励磁器(39)、電磁石(6)を使用する。
上下リミットスイッチからの信号は、0.25秒で負荷と接地をくり返すため、電磁石と地面に設置する永久磁石との吸引力と反発力は、磁力調整器内蔵の正逆励磁器をタイマーのインターバル、ワンシッョト方式の同極のわずかな反発力と反対側のわずかな油圧の圧入から、電磁石の吸引力はなくても良くて、着磁と消磁の反応時間の良い希土類磁石を使用して、ロッド室の油圧力と併用から確実で瞬間の負荷と接地を上下死点位置で交互にくり返すものである。
【００３２】
両ロッドシリンダーの上下動スピードは、大型、小型のシリンダーであれ、最低限1m／毎秒以上の
スピードとなり、閉回路装置では、作動油で充填密閉され真空状態を保たねばならないため、リップパッキン(61)、ウエアリング（62）、ダストシール（63）、とシリンダーしゅう動部のメッキ加工精度と摩擦熱による作動油の耐久粘度と冷却が重要となり、シリンダー内部の漏れ（ピストン上下から、ポンプのシリンダー上下からの漏れ）、より外部へのダストシールからの漏れを防ぐことが重要であり、各、機器の製作と取り付ける機器（ベアリング等）の精確さが基本であり、現況の市販品の組み込みで十分な耐用のものとなる。
【００３３】
重くした重量に見合うモータ出力37ｋＷ相応の可変容量形ピストンポンプは、可変容量範囲が、その重量の出力による速度につり合う容量のポンプであり、その重量分の出力を全てを取り入れことは出来ず(回転する上下の死点位置の位置エネルギーは0であり、慣性で回転するもので)重くした重量は、入力から速度である作動油の流速に載り、増油量の同調と連動から出力と成り、その増減油量は、ポンプ出力となり、常にモータ出力として、重くした重量に速度を与える必要なものであり、回転出力調整制御の出来るベクトル制御インバータ55ｋＷ誘導発電機を使用して、その可変容量形ピストンポンプを駆動するモータにも、外部からの電力からの同様のベクトル制御インバータ３７ｋＷ誘導モータを使用して、単純に抵抗損失を無視して、５５ｋＷ発電機を３７ｋＷモータ出力相応の３７ｋＷに落として、上記で説明の始動時から除除に重くした重量の入力から５５ｋＷの出力にもどすものである。
又、この反対の方法として発電機出力を３７ｋＷで維持しながら重くした重量分の出力の入力から除除に３７ｋＷ出力と相応の出力の可変容量形ピストンポンプの出力も２０ｋＷ相当のモータ出力に減じるフィードバック制御とすることも重くした重量の入力から出力となることには変わりはない(重量は運動エネルギーを有しないため、作動油の移動と正逆傾転プレートの切り換えと、その他の摩擦、機械抵抗損失を含めて、およそ２０ｋＷの出力が必要なものとした)ものとして、重くした重量の入力出力は、およそ１５ｋＷ程のものとなる。
回転センサーを発電機に設けて、重量の入力を感知して、電気信号からコントローラでプログラムする
ベクトル制御インバータ誘導モータと誘導発電機と負荷出力である誘導モータ揚水ポンプとを連係させる
ものであり、他の負荷出力の利用方法として、水の電気分解、充電、常時電気を安定して使用する電車、
一般の電力等に対応出来るものとなる。
【００３４】
往復動油圧伝達装置と重し負荷装置の多連油圧ポンプを駆動する使用するモータ出力（37ｋＷ）、から機器の
作動時間の遅れ、各機器の機械摩擦、熱による減衰等の損失で重し入力による重量のエネルギーは、
3900kgが抵抗がなく常時落下するエネルギーを１００％とすれば、本装置の往復動油圧伝達装置の閉回
路可変容量形ピストンポンプの流動に載せても、半分以下のおよそ１５ｋＷ程度のものとなり、大半が消
費されるものとなる。(水の落下のエネルギーの水力発電は機器の抵抗損失から８５％程である)
エアハイドロシリンダーと単動エアシリンダーの充填圧空気圧の漏れは、少ないものであるが、補充と電磁石とポペット形電磁弁とその他コントロール機器と損失等を含めての電力使用量は、およそ１〜2ｋＷ程のものであり、安定時には、外部電力から内部電力を使用するものとした。
以上の説明から、重しは、そのままではエネルギーを有さず、化石燃料もそのままではエネルギーではなくて、他からの補助の作用があってのエネルギーであり、本装置の軽い重しを重くして閉回路の油圧装置の作動油に載せて、圧して常時左右の天秤からの負荷と接地から、重くした重量を落とし続けることも他からの作用であって、その外部動力(エンジン、モータ)の補助エネルギーの大きさから重し重量、各機器も大小が決まり得られるエネルギーの量も決まるものである。
【００３５】
図面[１３、１４、１５、１６、]は、支点、軸心部の軸受台(19)と負荷天秤(1)と往復動天秤(2)とリンク連結する両ロッドシリンダー(3)のクレビス形ジョイント(22)とトラニオン形ピンジョイント中間部（20）は同じ太さの軸径のベアリング取り付けとした簡単な正面、平面、側面の構造と配置の概略の断面図である。
【００３６】
図面[17,]は、往復動天秤(2)と両ロッドシリンダー(3)とクランクロッド(15)の連結する平面図である。
【００３７】
図面[18、］は、多連油圧ポンプと両ロッドシリンダーとの左右対称として、取り付ける側面図である。
【００３８】
図面[19、20、21、22、]は、多連油圧ポンプの内部の詳細図であり、［図19］は、一つにまとめた多連油圧ポンプを側面から見た断面図であり、往復動油圧伝達装置用の共役板カム(42)と正逆傾転プレート(48)から上下二つの同機種の閉回路可変容量形ピストンポンプ(25)と重し負荷用の小型の閉回路可変容量形ピストンポンプ(27)であり、作動油入れ替え用の開回路高圧力設定の補助ピストンポンプ(26)とギアポンプ(28)の5連のポンプのユニットである。原動機であるモータからの駆動軸(44)と3基の小型出力ポンプ(26、27、28)の発電機(11)の中間軸から伝動チェーン(32)で駆動する駆動軸とカム軸を兼ねる(45)との配置図であり、駆動軸からまがりばかさ歯車(41)を使用して上下対称とした可変容量形ピストンポンプ(25)であり、前記の段落番号［13］に記載する往復動油圧伝達装置の左右複数の両ロッドシリンダー(3)と重し負荷装置の左右複数のエアハイドロシリンダー(9)は同時作動で連動して、両装置共に充填密閉の閉回路であるが管路の長さの違いからの流量と圧力差によるわずかな時間差の微調整をしなければならない。各機器それぞれの微調整は、リミットスイッチ（34）の位置調整、タイマー（38）調整のポペット形電磁弁（30.31）、各絞り弁の調整、作動油入れ替え用高圧力設定の開回路可変容量形ピストンポンプ(26)の斜板プレート調整ボルト(52)で圧力と流量を調整して、圧入と圧出量もタイマー（38）の時間調整で行い、両装置の連係は、重し負荷装置用の閉回路可変容量形ピストンポンプ(27)の従動節(46)の調整ボルト(51)で共役板カムとの調整から傾転プレートとの接点時間調整となり、絞り弁、電磁石（7）のタイマー（38）の時間調整、正逆励磁調整器（39）の磁力調整から等で全体の作動バランスはとれるものとなる。
始動時から平常運転となるまでの重しの負荷から重くした重量を除除に入力して、外部電力のモータ出力で駆動する発電機負荷出力は、共につり合わせなければならなく前記するプログラムするコントローラからベクトル制御インバータで制御して、負荷出力の一つである同制御の揚水モータポンプともつり合わせて、
連続運転となり重くした重量は負荷出力とつり合うものとなる。
［図20］は、往復動用のカム軸を上下に挟んだ2基の閉回路可変容量形ピストンポンプ(25)の詳細図であり、［図21］は、上の開回路可変容量形ピストンポンプ(26)は、高圧力設定の小型の作動油入れ替え用のポンプであり、下の閉回路可変容量形ピストンポンプ(27)は、小型の重し負荷用のポンプであり、［図22］は、その重し負荷用閉回路可変容量形ピストンポンプの共役板カム(42)と調整ボルト付の従動節(51)の詳細図である。
【００３９】
図面[23、24]は、両ロッドシリンダーと(3)とエアハイドロシリンダー(9)であり、［図23］は、シリン
ダーの上下中心部を負荷天秤のベアリング軸受でピンジョイント(20)で連結するトラニオン形ピンジョイ
ント両ロッドシリンダー(3)で、上部往復動天秤との連結はクレビスピンジョイントベアリング取付け(21)
ロッド詳細図であり、リップパッキン(61)の数と位置、シリンダーの設計加工方法は、任意のものとする。
［図24］は、重し負荷用のヘッド室に気体圧(空気圧)を充填密閉する負荷天秤とフランジ取り付けするエ
アハイドロシリンダー(9)であり、始動時における重くした重量を除除に入力装置の単動エアシリンダー(5)
も同じ径のものを使用して、シールパッキンはエアーと油圧の兼用のものを使用する。 
【００４０】
図面[25、26、]は、支点中心部に設置する多連油圧ポンプ(14)の配置の簡単な概略図である。
【００４１】
図面［27］は、往復動油圧伝達装置の上下2基の閉回路可変容量形ピストンポンプ(25)から左右両ロッ
ドシリンダー上部4室と下部4室を2室に略して、補助ピストンポンプ(26)の作動油入れ替え用圧出入ポ
ペット形電磁弁の回路図である。
【００４２】
図面［28］は、往復動油圧伝達装置の左右両ロッドシリンダー上下各4室の作動油入れ替え用補助ピスト
ンポンプから圧入用ポペット形電磁弁(31)と排出用ポペット形電磁弁(30)への回路図である。
【００４３】
図面［29、30］は、重し負荷用エアハイドロシリンダーの左右各4基を左右1基に略した閉回路油圧可変容量形ピストンポンプ(27)と作動油入れ替え用補助ギアポンプ(28)の回路図である。
【００４４】
図面［31］の向かって右側は、クランクロッド(15)に取り付け接点にしたリミットスイッチ(34)から多連油圧ポンプの1つの作動油入れ替え用小型の高圧力開回路可変容量形ピストンポンプ(26)のタイマー(38)を使用のポペット形電磁弁(30)、(31)、で圧出入をクランクの上死点と下死点で2基の閉回路油圧可変容量形ピストンポンプの作動油を1回転に1回、圧入と圧出を行い、リミットスイッチ(34)からタイマー(38)、ポペット形電磁弁(30)、(31)への電気回路の簡単な概略図である。
【００４５】
図面[31]の向かって左側は、クランクロッド(15)に取り付け接点にしたリミットスイッチ(34)から重し負荷装置エアハイドロシリンダー(9)と併用する地面の永久磁石(7)との反発力を負荷に利用する電磁石(6)の簡単な回路を示したリミットスイッチ(34)からリレー(37)、タイマー(38)、調整機器内蔵の正逆励磁器(39)、電磁石(6)、への電気回路のの簡単な概略図である。
【産業上の利用可能性】
【００４６】
図面[32]は、重し負荷天秤(1)と往復動天秤(2)の上下を逆にして、地面から負荷天秤の幅を多く取り、作業性と重しに水タンク、鉄クズ、コンクリート、などを使用できる大型装置である。
【００４７】
前記［0033］で重くした重量の伝達からの入力で除除に増油量として、ベクトル制御インバータ調整から発電機出力増と成り、始動時から除除に入力から重量と発電機出力をつり合わせる負荷機器として、
揚水モータポンプ、水の電気分解、充電、安定して電力使用の電車、一般の電力等が考えられる。
又、電力以外の増速機内蔵の原動機機関の一つの揚水ポンプ等を直に設けて重くした重量とつり合わせる方法。
【００４８】
本発明は、以上の実施形態に限定されるものではなく、小型から大型の装置まで利用範囲は広くて、重し材料は、無料の再利用のものであり、あらゆる場所に設置が可能であり、設備機器は現在使用されている応用から、適宜設計変更できるものである。
【図面の簡単な説明】
【００４９】
【図１】本発明の天秤使用の重力発電装置を示す、正面からの全体構造断面図である。
【図２】本発明の上部から見た平面構造と全体の配置図である。
【図３】本発明の片側側面からの概略の断面図である。
【図４】本発明の往復動油圧伝達装置の正面から概略の断面図である。
【図５】本発明の重し負荷天秤と支点部の軸受台と左右両ロッドシリンダーとの取り付け位置の平面        の概略の断面図である。
【図６】本発明の重し負荷天秤と往復動天秤と両ロッドシリンダーとクランクロッド、ギアボックス、        多連ポンプ、電動モータ、発電機の配置を示す側面からの概略の断面図である。
【図７】本発明のクランク機構の正面からの透視断面図である。
【図８】本発明のクランク機構のギアボックスの平面からの透視断面図である。
【図９】本発明のクランク機構のギアボックスと軸受台を側面から見た概略の断面図である。
【図１０】本発明の重し負荷装置と重くした重量を除除に入力する装置の正面から見た概略の断面図で          ある。
【図１１】本発明の重し負荷装置と重くした重量を除除に入力する装置の上部から見た構造と配置の概        略の断面図である。
【図１２】本発明の重し負荷装置と重くした重量を除除に入力する装置の側面から見た概略の断面図で        ある。
【図１３】本発明の両ロッドシリンダーと軸受台と上下天秤のベアリング取り付けの正面からの見た        概略の断面図である。
【図１４】本発明の両ロッドシリンダーと軸受台と重し負荷天秤のベアリング取り付けの平面から見た        概略の断面図である。
【図１５】本発明の両ロッドシリンダーと軸受台と重し負荷天秤のベアリング取り付けの側面から見た        概略の断面図である。
【図１６】本発明の支点部と軸受台と重し負荷天秤のベアリング取り付けの側面から見た概略の断面図        である。
【図１７】本発明の左右両ロッドシリンダーロッドと左右クランクロッドと連結する往復動天秤の平面        図である。
【図１８】本発明の支点中心部を側面から見た、左右両ロッドシリンダー間に左右上下対称に設ける多連        油圧ポンプと両ロッドシリンダーの配置の側面図である。
【図１９】本発明の多連油圧ポンプの詳細な断面図である。
【図２０】左右、上下対称の中心のカム軸を上下に挟んだ2基の往復動用の閉回路可変容量形ピストン        ポンプの共役板カムと従動節の詳細な断面図である。
【図２１】駆動軸とカム軸を同軸として、上のポンプは、小型の開回路高圧力で設定して、ポペット形        電磁弁から2基の往復動用ポンプの作動油の入れ替え用の可変容量形ピスントンポンプであ        り、下のポンプは、重し負荷用の閉回路可変容量形ピストンポンプで従動節の長さ調整ので        きるものとした詳細図である。
【図２２】重し負荷用の可変容量形ピストンポンプのカム軸の共役板カムを分割して、調整ボルトの従        動節との動作関係の詳細な側面図である。
【図２３】本発明の両ロッドシリンダーの詳細な断面図である。
【図２４】本発明のエアハイドロシリンダーの詳細な断面図であり、単動エアシリンダーとは、同径のも        のである。
【図２５】本発明の多連油圧ポンプの2基の閉回路可変容量形ピストンポンプと両ロッドシリンダーへの        管路と簡単な構造を示す配置図である。
【図２６】本発明の多連油圧ポンプの1基の閉回路可変容量形ピストンポンプとエアハイドロシリンダーへ        の管路と簡単な構造を示す配置図である。
【図２７】本発明の多連油圧ポンプの往復動油圧伝達装置の油圧回路図である。
【図２８】本発明の多連油圧ポンプの往復動油圧伝達装置の補助ピストンポンプの作動油入れ替えの油圧回                                路図である。
【図２９】本発明の多連ポンプの重し負荷装置のポンプからエアハイドロシリンダーへの油圧配置図である。
【図３０】本発明の重し負荷用閉回路可変容量形ピストンポンプと補助ギアポンプの油圧回路図である。
【図３１】本発明の往復動油圧伝達装置の作動油入れ替え用開回路高圧力の補助ピストンポンプの圧出入        用のポペット形電磁弁の電気機器の配置と、重し負荷用電気機器の配置の簡単な回路の概略図        である。
【図３２】重し負荷天秤と往復動天秤を［図1］とは上下を逆にした天秤使用の重力発電装置である。
【符号の説明】
【００５０】
1重し負荷天秤    2往復動天秤    3両ロッドシリンダー    4重し    5単動エアシリンダー    6電磁石    7永久磁石    8はずみ車    9エアハイドロシリンダー    10エアハイドロシリンダーの負荷フレーム
11増速装置内蔵の発電機    12電動機    13クランクギアボックス    14多連油圧ポンプ    15クランクロッド    16クランクアーム    17クランクギア    18中間ギア    19軸受台    20中間部トラニオンピンジョイント、ベアリング取り付け    
21クレビスピンジョイント、ベアリング取り付け    22ベアリング取り付け    23作動油管（吸入と吐出）  24圧縮気体管    25往復動油圧伝達装置の閉回路可変容量形ピストンポンプ    26開回路の補助可変容量形ピストンポンプ    27重し負荷装置用の小型閉回路可変容量形ピストンポンプ    28開回路補助ギアポンプ    29作動油タンク    30排出用ポペット形電磁弁  
31圧入用ポペット形電磁弁    32伝動チェーン    33従動軸ギアボックス    34リミットスイッチ  35気体圧タンク    36中間軸    37リレー    38オンデレタイマー    39調整機器内蔵の正逆励磁器  40スワッシュプレート    
41まがりばかさ歯車    42共役板カム    43吸入口と吐出口  44駆動軸    45駆動軸とカム軸を共用する軸    46従動節    47平歯車    48正逆傾転プレート(斜版プレート)    49ばね    50ピストン    51従動節調整ボルトネジ    52開回路ピストンポンプのプレート調整ボルト    53コントロールボックス    54両ロッドシリンダーのロッド    55ピストン    56ピストン下部室の空気抜き連通穴    57空気抜きソケット    58配管ソケット(別の油圧機器からの圧入ソケットも兼ねる)    59ボルト    60空気たまり溝    
61リップパッキン    62ウエアリング    63ダストシール  64多連油圧ポンプのベアリング軸受け台    65作動油入れ替え用排出管    66作動油入れ替え用圧入管    
【図１】
0004281072.tif 000002
【図２】
0004281072.tif 000003
【図３】
0004281072.tif 000004
【図４】
0004281072.tif 000005
【図５】
0004281072.tif 000006
【図６】
0004281072.tif 000007
【図７】
0004281072.tif 000008
【図８】
0004281072.tif 000009
【図９】
0004281072.tif 000010
【図１０】
0004281072.tif 000011
【図１１】
0004281072.tif 000012
【図１２】
0004281072.tif 000013
【図１３】
0004281072.tif 000014
【図１４】
0004281072.tif 000015
【図１５】
0004281072.tif 000016
【図１６】
0004281072.tif 000017
【図１７】
0004281072.tif 000018
【図１８】
0004281072.tif 000019
【図１９】
0004281072.tif 000020
【図２０】
0004281072.tif 000021
【図２１】
0004281072.tif 000022
【図２２】
0004281072.tif 000023
【図２３】
0004281072.tif 000024
【図２４】
0004281072.tif 000025
【図２５】
0004281072.tif 000026
【図２６】
0004281072.tif 000027
【図２７】
0004281072.tif 000028
【図２８】
0004281072.tif 000029
【図２９】
0004281072.tif 000030
【図３０】
0004281072.tif 000031
【図３１】
0004281072.tif 000032
【図３２】
0004281072.tif 000033